(57)【特許請求の範囲】
【請求項１】
表データを入力する表データ入力手段と、
前記入力された表データを記憶する表データ記憶手段と、
前記記憶された表データ内における所望のデータを指定させるデータ指定手段と、
前記指定されたデータのデータ量を計数するデータ量計数手段と、
前記データの指定及び前記データ量の計数に基づいて、配置位置が移動可能であり前記計数されたデータ量に応じた態様であるリンクオブジェクトを生成するとともに、該生成されたリンクオブジェクトに前記指定されたデータへのリンクを設定するリンクオブジェクト生成手段と、
前記生成されたリンクオブジェクトを所定の位置に配置するオブジェクト配置手段とを備えていることを特徴とするデータマップ作成支援装置。
【請求項２】
画像データを入力する画像データ入力手段と、
前記入力された画像データを表示する画像表示手段と、
前記所定の位置に配置されたリンクオブジェクトの移動先位置を指定させる位置指定手段とを更に備え、
前記オブジェクト配置手段は、前記指定された移動先位置に、前記表示された画像データ上に重畳して、前記リンクオブジェクトを配置するように構成されていることを特徴とする請求項１記載のデータマップ作成支援装置。
【請求項３】
前記データ指定手段によって指定されたデータを編集するデータ編集手段と、
データ編集の終了を判断する判断手段と、
前記編集された後のデータのデータ量に基づいて、前記リンクオブジェクトの態様を修正する修正手段とを更に備えていることを特徴とする請求項１または２記載のデータマップ作成支援装置。
【請求項４】
前記表データ入力手段は、複数の分類された表データを入力可能であり、
前記表データ記憶手段は、入力された前記複数の分類された表データを記憶可能であり、
前記データ指定手段は、記憶された前記複数の分類された表データを指定させることが可能であり、
前記データ量計数手段は、指定された前記複数の分類された表データについて、各表データのデータ量を計数可能であり、
前記リンクオブジェクト生成手段は、前記指定された複数の分類された表データについて、配置位置がそれぞれ移動可能であり前記計数された各表データのデータ量にそれぞれ応じた態様であるリンクオブジェクトを複数生成するとともに、該生成された複数のリンクオブジェクトに前記指定された複数の分類された表データへのリンクをそれぞれ設定することにより、複数のリンクオブジェクトを一括して生成し、
前記オブジェクト配置手段は、前記生成された複数のリンクオブジェクトを、複数の所定の位置にそれぞれ配置するように構成されていることを特徴とする請求項１〜３のいずれか１項に記載のデータマップ作成支援装置。
【請求項５】
前記リンクオブジェクト生成手段は、前記複数の分類された表データのうち、最もデータ量の多い表データのデータ量、及び各表データのデータ量に応じた態様のリンクオブジェクトを複数生成するように構成されていることを特徴とする請求項４記載のデータマップ作成支援装置。
【請求項６】
前記データ量計数手段によって計数されたデータ量を数字で表し、かつ配置位置が移動可能である数量オブジェクトを生成する数量オブジェクト生成手段を更に備え、
前記オブジェクト配置手段は、前記数量オブジェクト生成手段にて生成された数量オブジェクトを、前記リンクオブジェクト生成手段にて生成されたリンクオブジェクトとグループ化して、所定の位置に配置するように構成されていることを特徴とする請求項１〜５のいずれか１項に記載のデータマップ作成支援装置。
【請求項７】
表データ入力手段と表データ記憶手段とデータ指定手段とデータ量計数手段とリンクオブジェクト生成手段とオブジェクト配置手段とを備えているデータマップ作成支援装置によって実行されるデータマップ作成支援方法であって、
前記表データ入力手段が、表データを入力するステップと、
前記表データ記憶手段が、前記入力された表データを記憶するステップと、
前記データ指定手段が、前記記憶された表データ内における所望のデータを指定させるステップと、
前記データ量計数手段が、前記指定されたデータのデータ量を計数するステップと、
前記データの指定及び前記データ量の計数に基づいて、前記リンクオブジェクト生成手段が、配置位置が移動可能であり前記計数されたデータ量に応じた態様であるリンクオブジェクトを生成するとともに、該生成されたリンクオブジェクトに前記指定されたデータへのリンクを設定するステップと、
前記オブジェクト配置手段が、前記生成されたリンクオブジェクトを所定の位置に配置するステップとを有することを特徴とするデータマップ作成支援方法。
【請求項８】
表データ入力手段と表データ記憶手段とデータ指定手段とデータ量計数手段とリンクオブジェクト生成手段とオブジェクト配置手段とを備えているデータマップ作成支援装置としてコンピュータを機能させるためのデータマップ作成支援プログラムを記憶したコンピュータ読み取り可能な記録媒体であって、
前記表データ入力手段が、表データを入力するステップと、前記表データ記憶手段が、前記入力された表データを記憶するステップと、前記データ指定手段が、前記記憶された表データ内における所望のデータを指定させるステップと、前記データ量計数手段が、前記指定されたデータのデータ量を計数するステップと、前記データの指定及び前記データ量の計数に基づいて、前記リンクオブジェクト生成手段が、配置位置が移動可能であり前記計数されたデータ量に応じた態様であるリンクオブジェクトを生成するとともに、該生成されたリンクオブジェクトに前記指定されたデータへのリンクを設定するステップと、前記オブジェクト配置手段が、前記生成されたリンクオブジェクトを所定の位置に配置するステップとをコンピュータに実行させるためのデータマップ作成支援プログラムを記憶したコンピュータ読み取り可能な記録媒体。
【請求項９】
表データ入力手段と表データ記憶手段とデータ指定手段とデータ量計数手段とリンクオブジェクト生成手段とオブジェクト配置手段とを備えているデータマップ作成支援装置としてコンピュータを機能させるためのデータマップ作成支援プログラムであって、
前記表データ入力手段が、表データを入力するステップと、前記表データ記憶手段が、前記入力された表データを記憶するステップと、前記データ指定手段が、前記記憶された表データ内における所望のデータを指定させるステップと、前記データ量計数手段が、前記指定されたデータのデータ量を計数するステップと、前記データの指定及び前記データ量の計数に基づいて、前記リンクオブジェクト生成手段が、配置位置が移動可能であり前記計数されたデータ量に応じた態様であるリンクオブジェクトを生成するとともに、該生成されたリンクオブジェクトに前記指定されたデータへのリンクを設定するステップと、前記オブジェクト配置手段が、前記生成されたリンクオブジェクトを所定の位置に配置するステップとをコンピュータに実行させることを特徴とするデータマップ作成支援プログラム。
【発明の詳細な説明】
【０００１】
【発明の属する技術分野】
本発明は、表データ及びその表データへのリンクを設定したオブジェクトを用いて、表データの閲覧・分析を効率的・効果的に行うためのデータマップを作成するデータマップ作成支援装置、データマップ作成支援方法、データマップ作成支援プログラムを記憶したコンピュータ読み取り可能な記録媒体、及びデータマップ作成支援プログラムに関する。
【０００２】
【従来の技術】
従来、例えば特許調査結果などを分析するにあたり、分野別・出願人別に分類して各分類毎に表データ形式にまとめたり、また、各分類毎の件数を計数してグラフで表したり、あるいは複数の特定の記号を図形上の特定の位置に配置して表すなど、いわゆるパテントマップ（以下、データマップと称する）を作成する作業が行われている。
【０００３】
従来のデータマップの例を図９〜図１１に示す。
【０００４】
図９（ａ）は、出願人毎の件数を棒グラフで表したものであり、図９（ｂ）は各出願人・分類毎の出願件数に応じたサイズの丸印を２次元マップ上に配置したものである。
【０００５】
図１０は、特開平６−２３１１４１号公報に記載のパテントマップ作成支援システムの説明図である。
【０００６】
この公報に記載のパテントマップ作成支援システムでは、分類コードを付与した特許情報を特許データベース収録部に蓄積しており、図表の種類、図表の縦軸及び横軸の要素などをパラメータとして与えると、指定されたパラメータに応じて図１０（ａ）に示すようなデータマップが生成・表示される。データマップが表示された状態において、構成要素（例えば小分類）の１つをマウスで選択すると、図１０（ｂ）に示すように、選択された構成要素に含まれる特許情報の一覧が表示される。さらに特許情報の一覧が表示された状態において、その１つをマウスで選択すると、その選択された特許のイメージ情報が図１０（ｃ）に示すような態様で表示される。
【０００７】
図１１（ａ）は、自転車の各構成要素毎の出願件数を丸印の数で表したものであり、図１１（ｂ）は各分類毎の出願件数に応じたサイズの丸印を機能系統図上に配置したものである。
【０００８】
【発明が解決しようとする課題】
図９や図１０に示したようなグラフやデータマップは、パーソナルコンピュータと、いわゆる表計算ソフト（例えばマイクロソフト株式会社のＥＸＣＥＬ（登録商標））と呼ばれるソフトウェアや、特開平６−２３１１４１号公報に記載のパテントマップ作成支援システムなどによって作成することができる。
【０００９】
しかしながら、図１１に示したように、ある特定の画像や図形上の特定の位置に、出願件数などのデータ量に応じた数やサイズの記号（以下、図形オブジェクトと称する）を配置するようなデータマップを作成するシステムは実現されておらず、現状では、一般的な表計算ソフトと図形作成ソフトを用いて、ユーザが件数に応じた態様（数やサイズ等）の図形オブジェクトを手作業で作成し、画像上に配置する方法しかない。この方法では、データマップを作成した後に、データの追加や削除を行った場合、その変更されたデータ量に応じて図形オブジェクトの態様を手作業にて修正しなければならないという問題がある。
【００１０】
また、手作業で図形オブジェクトを作成し画像上の特定位置に配置する方法の場合、図１０で説明したような機能、つまり構成要素（図形オブジェクト）がマウスで選択されると、その構成要素に含まれる特許情報の一覧表やイメージ情報を表示する機能（以下、リンク機能と称する）を実現することはできない。
【００１１】
なお、マイクロソフト株式会社のＥＸＣＥＬでは、図形オブジェクトにリンク情報を手作業で設定することは可能であるが、データ量に応じた図形オブジェクトの作成と、その図形オブジェクトに対するリンク情報の設置という煩雑な作業を、必要な図形オブジェクトの数だけ繰り返して実行しなければならない。
【００１２】
本発明は、以上のような課題を解決すべくなされたもので、画像上の任意の位置に、データ量に応じた数やサイズでかつデータへのリンクが設定された図形オブジェクトを配置したデータマップを簡単に作成することのできるデータマップ作成支援装置、データマップ作成支援方法、データマップ作成支援プログラムを記憶したコンピュータ読み取り可能な記録媒体、及びデータマップ作成支援プログラムの提供を目的とする。
【００１３】
【課題を解決するための手段】
本発明のデータマップ作成支援装置は、表データを入力する表データ入力手段と、前記入力された表データを記憶する表データ記憶手段と、前記記憶された表データ内における所望のデータを指定させるデータ指定手段と、前記指定されたデータのデータ量を計数するデータ量計数手段と、前記データの指定及び前記データ量の計数に基づいて、配置位置が移動可能であり前記計数されたデータ量に応じた態様であるリンクオブジェクトを生成するとともに、該生成されたリンクオブジェクトに前記指定されたデータへのリンクを設定するリンクオブジェクト生成手段と、前記生成されたリンクオブジェクトを所定の位置に配置するオブジェクト配置手段とを備えていることによって特徴づけられる。
【００１４】
この発明のデータマップ作成支援装置によれば、データへのリンクを設定したリンクオブジェクトを所定の位置に配置させることができるので、操作性が良く活用しやすいデータマップを容易に作成することができる。この発明のデータマップ作成支援装置によれば、リンクオブジェクトを、データのデータ量に応じた態様で表示することができるので、見やすくて内容を理解しやすいデータマップを作成することができる。
【００１５】
本発明のデータマップ作成支援装置において、画像データを入力する画像データ入力手段と、前記入力された画像データを表示する画像表示手段と、前記所定の位置に配置されたリンクオブジェクトの移動先位置を指定させる位置指定手段とを更に備え、前記オブジェクト配置手段は、前記指定された移動先位置に、前記表示された画像データ上に重畳して、前記リンクオブジェクトを配置するように構成してもよい。
【００１６】
この発明のデータマップ作成支援装置によれば、リンクオブジェクトを、任意の画像上の所定の位置に配置することが可能であるので、見やすくて内容を理解しやすいデータマップを作成することができる。
【００１７】
本発明のデータマップ作成支援装置は、前記データ指定手段によって指定されたデータを編集するデータ編集手段と、データ編集の終了を判断する判断手段と、前記編集された後のデータのデータ量に基づいて、前記リンクオブジェクトの態様を修正する修正手段とを更に備えていてもよい。
【００１９】
本発明のデータマップ作成支援装置において、前記表データ入力手段は、複数の分類された表データを入力可能であり、前記表データ記憶手段は、入力された前記複数の分類された表データを記憶可能であり、前記データ指定手段は、記憶された前記複数の分類された表データを指定させることが可能であり、前記データ量計数手段は、指定された前記複数の分類された表データについて、各表データのデータ量を計数可能であり、前記リンクオブジェクト生成手段は、前記指定された複数の分類された表データについて、配置位置がそれぞれ移動可能であり前記計数された各表データのデータ量にそれぞれ応じた態様であるリンクオブジェクトを複数生成するとともに、該生成された複数のリンクオブジェクトに前記指定された複数の分類された表データへのリンクをそれぞれ設定することにより、複数のリンクオブジェクトを一括して生成し、前記オブジェクト配置手段は、前記生成された複数のリンクオブジェクトを、複数の所定の位置にそれぞれ配置するように構成してもよい。
【００２０】
この発明のデータマップ作成支援装置によれば、複数の表データの各々へのリンクを設定したリンクオブジェクトを一括して生成し、それらを各々の配置位置に一括して配置することができるので、前記したような操作性が良くて内容が理解しやすいデータマップを容易に作成することができる。
【００２１】
本発明のデータマップ作成支援装置において、前記リンクオブジェクト生成手段は、前記複数の分類された表データのうち、最もデータ量の多い表データのデータ量、及び各表データのデータ量に応じた態様のリンクオブジェクトを複数生成するように構成してもよい。
【００２２】
この発明のデータマップ作成支援装置によれば、複数の表データのうち、最もデータ量の多い表データのデータ量、及び各々の表データのデータ量に応じた態様のリンクオブジェクトを各々生成することが可能であり、適切な態様のリンクオブジェクトを生成することができるので、見やすくて内容を理解しやすいデータマップを作成することができる。
【００２３】
本発明のデータマップ作成支援装置において、前記データ量計数手段によって計数されたデータ量を数字で表し、かつ配置位置が移動可能である数量オブジェクトを生成する数量オブジェクト生成手段を更に備え、前記オブジェクト配置手段は、前記数量オブジェクト生成手段にて生成された数量オブジェクトを、前記リンクオブジェクト生成手段にて生成されたリンクオブジェクトとグループ化して、所定の位置に配置するように構成してもよい。
【００２４】
この発明のデータマップ作成支援装置によれば、リンクオブジェクトとグループ化した数量オブジェクトにより、データのデータ量を数値にて表示することができるので、見やすくて内容を理解しやすいデータマップを作成することができる。
【００２５】
本発明のデータマップ作成支援方法は、表データ入力手段と表データ記憶手段とデータ指定手段とデータ量計数手段とリンクオブジェクト生成手段とオブジェクト配置手段とを備えているデータマップ作成支援装置によって実行されるデータマップ作成支援方法であって、前記表データ入力手段が、表データを入力するステップと、前記表データ記憶手段が、前記入力された表データを記憶するステップと、前記データ指定手段が、前記記憶された表データ内における所望のデータを指定させるステップと、前記データ量計数手段が、前記指定されたデータのデータ量を計数するステップと、前記データの指定及び前記データ量の計数に基づいて、前記リンクオブジェクト生成手段が、配置位置が移動可能であり前記計数されたデータ量に応じた態様であるリンクオブジェクトを生成するとともに、該生成されたリンクオブジェクトに前記指定されたデータへのリンクを設定するステップと、前記オブジェクト配置手段が、前記生成されたリンクオブジェクトを所定の位置に配置するステップとを有することを特徴とする。
【００２６】
本発明のコンピュータ読み取り可能な記録媒体は、表データ入力手段と表データ記憶手段とデータ指定手段とデータ量計数手段とリンクオブジェクト生成手段とオブジェクト配置手段とを備えているデータマップ作成支援装置としてコンピュータを機能させるためのデータマップ作成支援プログラムを記憶したコンピュータ読み取り可能な記録媒体であって、前記表データ入力手段が、表データを入力するステップと、前記表データ記憶手段が、前記入力された表データを記憶するステップと、前記データ指定手段が、前記記憶された表データ内における所望のデータを指定させるステップと、前記データ量計数手段が、前記指定されたデータのデータ量を計数するステップと、前記データの指定及び前記データ量の計数に基づいて、前記リンクオブジェクト生成手段が、配置位置が移動可能であり前記計数されたデータ量に応じた態様であるリンクオブジェクトを生成するとともに、該生成されたリンクオブジェクトに前記指定されたデータへのリンクを設定するステップと、前記オブジェクト配置手段が、前記生成されたリンクオブジェクトを所定の位置に配置するステップとをコンピュータに実行させるためのデータマップ作成支援プログラムを記憶していることを特徴とする。
【００２７】
本発明のデータマップ作成支援プログラムは、表データ入力手段と表データ記憶手段とデータ指定手段とデータ量計数手段とリンクオブジェクト生成手段とオブジェクト配置手段とを備えているデータマップ作成支援装置としてコンピュータを機能させるためのデータマップ作成支援プログラムであって、前記表データ入力手段が、表データを入力するステップと、前記表データ記憶手段が、前記入力された表データを記憶するステップと、前記データ指定手段が、前記記憶された表データ内における所望のデータを指定させるステップと、前記データ量計数手段が、前記指定されたデータのデータ量を計数するステップと、前記データの指定及び前記データ量の計数に基づいて、前記リンクオブジェクト生成手段が、配置位置が移動可能であり前記計数されたデータ量に応じた態様であるリンクオブジェクトを生成するとともに、該生成されたリンクオブジェクトに前記指定されたデータへのリンクを設定するステップと、前記オブジェクト配置手段が、前記生成されたリンクオブジェクトを所定の位置に配置するステップとをコンピュータに実行させることを特徴とする。
【００２８】
【発明の実施の形態】
以下、本発明の実施形態を図面に基づいて説明する。
【００２９】
図１は、本発明のデータマップ作成支援装置の実施形態の構成を示すシステムブロック図である。
【００３０】
図１のデータマップ作成支援装置は、一般的なパーソナルコンピュータと同様な構成となっており、中央制御装置１００（以下、ＣＰＵ１００と称する）、データメモリ２００、プログラムメモリ３００、表示部４００、入力部５００及び外部記憶部６００などを備えている。データマップ作成支援装置を構成する各機能部は互いに接続されている。なお、各機能部の詳細は後述する。
【００３１】
図２は、図１のデータマップ作成支援装置を用いて作成したデータマップの一例を示す図である。この例のデータマップは、自転車の各部位ごとの特許出願件数に応じたサイズの図形オブジェクトを、自転車の図面上の所定位置に配置した特許マップである。
【００３２】
図２（ａ）に示すように、表示部４００には、自転車の図面４０５と、ハンドルに関する特許の出願件数に応じたサイズの図形オブジェクト４０６と、その出願件数を数値で表した数量オブジェクト４０７などが表示される。なお、これら自転車の図面４０５、図形オブジェクト４０６及び数量オブジェクト４０７などが配置されるページ（シート）を、以下、「マップシート４０１」と称する。
【００３３】
マップシート４０１には、データ入力・編集ボタン４０２、図形オブジェクト作成ボタン４０３、終了ボタン４０４等のコマンドボタンが配置されている。これらの説明は後述する。
【００３４】
図形オブジェクト４０６には、データマップ作成支援装置によって、ハンドルに関する特許の表データの先頭位置へのリンクが設定されている。従って、ユーザが、図形オブジェクト４０６を、後述するマウス５１０等によってクリックすると、図２（ｂ）に示すように、表示部４００にハンドルに関する特許の表データ４１１が表示される。なお、図２（ｂ）に示すように表データ４１１が配置されるページ（シート）を、以後「データシート４１０」と称する。
【００３５】
データシート４１０には、戻るボタン４０９等のコマンドボタンが配置されている。戻るボタン４０９には、データマップ作成支援装置によって、マップシート４０１の先頭位置へのリンクが設定されている。従って、ユーザが戻るボタン４０９をマウス５１０等によってクリックすると、図２（ａ）に示すように表示部４００にマップシート４０１が表示される。
【００３６】
なお、表示部４００の下部には、現在表示されているシートを示すタグと、クリックすることで指定のシートを表示させることのできるタグが表示されており、それらタグのクリック操作により表示するシートを選択することができる。例えば図２（ａ）において、「ハンドル」データシートタグ４０８をマウス５１０にてクリックすると、図２（ｂ）に示すように、「ハンドル」データシートが表示され、図２（ｂ）において、マップシートタグ４１２をマウス５１０にてクリックすると、図２（ａ）に示すようにマップシート４０１が表示される。
【００３７】
このように、表示部４００の下部に各シートに対応するタグを複数表示し、その１つをクリックすると、そのタグに応じたシートを表示部４００に表示する技術は公知である。例えば前述のマイクロソフト株式会社のＥＸＣＥＬ等で実現されているので、その詳細な説明は省略する。
【００３８】
次に、図１に示すデータマップ作成支援装置の各機能部の詳細を説明する。
【００３９】
ＣＰＵ１００は、プログラムメモリ３００に記憶されている各種制御プログラムに基づいて動作し、データマップ作成支援装置全体を制御する。また、後述する図３、図６及び図８に示す各フローチャートはＣＰＵ１００の動作によって実現される。
【００４０】
データメモリ２００は、半導体メモリもしくは磁気記憶媒体であって、データマップ作成支援装置を動作させるのに必要なデータや、入力部５００あるいは外部記憶部６００から入力されたデータが記憶される。データメモリ２００は、表データ記憶領域２１０、図形オブジェクトデータ記憶領域２２０、背景画像データ記憶領域２３０、その他データ記憶領域２４０に区分されている。
【００４１】
表データ記憶領域２１０には、例えば所定の分類や出願人毎にまとめられた、複数の特許調査結果一覧表データが記憶される。例えば図２に示したような、自転車のハンドルに関する特許の表データ４１１がデータシート１記憶領域２１１に記憶され、タイヤに関する特許の表データがデータシート２記憶領域２１２に記憶される。
【００４２】
図形オブジェクトデータ記憶領域２２０には、マップシート４０１上に配置される複数の図形オブジェクト（図形オブジェクト４０６、数量オブジェクト４０７など）のプロパティ（属性）データ（図形オブジェクトのＩＤ、形、色、サイズ、配置位置、リンク先位置など）が、図形オブジェクト１データ記憶領域２２１、図形オブジェクト２データ記憶領域２２２などにそれぞれ記憶される。
【００４３】
通常、図形オブジェクト１データ記憶領域２２１のリンク先位置プロパティには、データシート１記憶領域２１１の先頭位置を示す値が記憶され、図形オブジェクト２データ記憶領域２２２のリンク先位置プロパティには、データシート２記憶領域２１２の先頭位置を示す値が記憶される。例えば、図２（ａ）の図形オブジェクト４０６のリンク先位置プロパティは、図２（ｂ）の表データ４１１の左上位置すなわち「Ａ列２行目」が設定されている。
【００４４】
ただし、リンク先位置プロパティの値は任意に変更可能である。例えば、図形オブジェクト１データ記憶領域２２１のリンク先位置プロパティに、データシート２記憶領域２１２の先頭位置を示す値を記憶したり、図形オブジェクト２データ記憶領域２２２のリンク先位置プロパティに、データシート１記憶領域２１１の途中位置を示す値を記憶させることもできる。
【００４５】
背景画像データ記憶領域２３０には、マップシート４０１上に配置される画像（例えば図２（ａ）の自転車の図面４０５など）のデータが記憶される。その他データ記憶領域２４０には、データマップ作成支援装置を動作させるのに必要な変数データなどが記憶される。
【００４６】
表データ記憶領域２１０、図形オブジェクトデータ記憶領域２２０、及び背景画像データ記憶領域２３０の内容は、１つのファイルにまとめて外部記憶部６００に記憶することができ、また呼び出すこともできる。この実施形態では、ファイルを「ブック」と称する。外部記憶部６００には、複数のブックを永続的に記憶させておくことが可能である。
【００４７】
プログラムメモリ３００には、データマップ作成支援プログラム３１０とデータマップ表示プログラム３２０が記憶されている。
【００４８】
データマップ作成支援プログラム３１０には、背景画像データ入力プログラム３１１と、表データ入力・編集プログラム３１２と、図形オブジェクト生成プログラム３１３と、図形オブジェクト修正プログラム３１４と、図形オブジェクト移動プログラム３１５とが含まれている。
【００４９】
背景画像データ入力プログラム３１１には、例えば、入力部５００に含まれるイメージスキャナ５３０を制御して画像データを入力したり、同じく入力部５００に含まれるマウス５１０によって入力される指示に基づいて図形データや画像データを作成し、背景画像データ記憶領域２３０に記憶させる処理手順などが記載されている。
【００５０】
表データ入力・編集プログラム３１２には、例えば、外部記憶部６００から特許調査結果一覧表データを読み込んだり、入力部５００に含まれるキーボード５２０によって入力された表データを、表データ記憶領域２１０へ記憶させる処理手順、及び、表データ記憶領域２１０に記憶された表データを編集（データの追加・削除・修正）する処理手順などが記載されている。
【００５１】
図形オブジェクト生成プログラム３１３には、図形オブジェクトのプロパティ（ＩＤ、形、色、サイズ、配置位置、リンク先位置など）を決定し、図形オブジェクトデータ記憶領域２２０に記憶する処理手順が記載されている。
【００５２】
図形オブジェクト修正プログラム３１４には、図形オブジェクト生成プログラム３１３に基づいて生成された図形オブジェクトの各種プロパティを修正する処理手順が記載されている。
【００５３】
図形オブジェクト移動プログラム３１５には、図形オブジェクト生成プログラム３１３に基づいて生成された図形オブジェクトの配置位置プロパティを、マウス５１０またはキーボード５２０の指示に応じて修正する処理手順が記載されている。
【００５４】
データマップ表示プログラム３２０には、背景画像表示プログラム３２１と、図形オブジェクト表示プログラム３２２と、リンク指示対応プログラム３２３と、データシート表示プログラム３２４とが含まれている。
【００５５】
背景画像表示プログラム３２１には、背景画像データ記憶領域２３０に記憶されている背景画像データを表示部４００に表示する処理手順が記載されている。
【００５６】
図形オブジェクト表示プログラム３２２には、図形オブジェクトデータ記憶領域２２０に記憶されている図形オブジェクトデータに基づいて、表示部４００に表示した背景画像上に図形オブジェクトを表示する処理手順が記載されている。
【００５７】
リンク指示対応プログラム３２３には、表示部４００に表示した図形オブジェクトがマウス５１０等によってクリックされたとき、その図形オブジェクトのリンク先位置プロパティに基づいた動作（リンク先シートの表示指示など）を行う処理手順が記載されている。
【００５８】
データシート表示プログラム３２４には、リンク先として指定されている表データを、表示部４００に表示する動作の詳細な処理手順が記載されている。
【００５９】
以上の各プログラムは、以下に示すフローチャートで説明する順に実行されるものである。その実行手順が記載されているプログラムもプログラムメモリ３００内に記憶されている。
【００６０】
ここで、以上の各プログラムは、予めプログラムメモリ３００内に記憶されていてもよいし、データマップ作成支援装置の電源が投入された際などに、外部記憶部６００から読み込んで記憶するようにしてもよい。あるいは、図示しないホストコンピュータから通信回線経由でダウンロードされて記憶されるようにしてもよい。
【００６１】
表示部４００は、前記したマップシート（データマップ：背景画像・図形オブジェクトを含むシート）、データシート（分類された表データ）などを表示することが可能なＣＲＴやＬＣＤなどの表示装置及び表示制御装置である。
【００６２】
入力部５００は、前記したように、マウス５１０等のポインティングデバイス、キーボード５２０等の文字入力装置、イメージスキャナ５３０等の画像入力装置などによって構成されている。
【００６３】
外部記憶部６００は、ハードディスク、ＣＤ−ＲＯＭ、光磁気ディスクなどの記憶装置及び記憶媒体である。
【００６４】
図３は、図１のデータマップ作成支援装置の概略動作手順を示すフローチャートである。この図３のフローチャート及び後述する図６及び図８のフローチャートは、プログラムメモリ３００に記憶されているプログラムに基づいて、ＣＰＵ１００が動作することにより実現される。
【００６５】
データマップ作成支援装置の動作が開始されると、まず、入力部５００の操作により、新規にデータマップ（マップシート及びデータシート）を作成するのか、既存のデータマップ（外部記憶部６００に記憶されているブック）を読み込むのかを選択する（ステップＳ１）。
【００６６】
入力部５００の操作により、新規のデータマップを作成すると入力された場合、ステップＳ２において、新規マップシート（背景画像や図形オブジェクトを配置するためのベースとなる無地のページ）を生成して表示部４００に表示する。
【００６７】
図４（ａ）に、新規のマップシート４０１を表示部４００に表示した状態を示す。この図４（ａ）の表示画面には、データ入力・編集ボタン４０２、図形オブジェクト作成ボタン４０３、終了ボタン４０４等のコマンドボタンも同時に表示される。
【００６８】
ステップＳ３では、背景画像データ入力プログラム３１１と背景画像表示プログラム３２１に基づいて、背景画像データをイメージスキャナ５３０や外部記憶部６００から読み込んで、背景画像データ記憶領域２３０に記憶するとともに、新規のマップシート４０１上に表示してステップＳ６へ移行する。
【００６９】
図４（ｂ）に、マップシート４０１上に背景画像（自転車の画像４０５）を表示した状態を示す。
【００７０】
一方、ステップＳ１において、入力部５００の操作により既存のブックを読み込むと入力された場合、ステップＳ４において、外部記憶部６００に記憶されている複数のブックの１つを選択して読み込み、表データ記憶領域２１０、図形オブジェクトデータ記憶領域２２０、背景画像データ記憶領域２３０に記憶する。
【００７１】
ステップＳ５では、背景画像表示プログラム３２１に基づいて、背景画像データ記憶領域２３０に記憶された背景画像（既存マップシート）を表示部４００に表示し、さらに、図形オブジェクト表示プログラム３２２に基づいて、図形オブジェクトデータ記憶領域２２０に記憶の複数の図形オブジェクトを、前記した背景画像上の所定の位置に、所定のサイズで（各図形オブジェクトデータのプロパティに基づいて）表示する。また、表データ記憶領域２１０に記憶の表データ（データシート）に対応するタグ、各表データのデータ件数を表した数量オブジェクトも表示する。表示処理終了後、ステップＳ６へ移行する。
【００７２】
図５（ｂ）に、背景画像（自転車の画像４０５）、図形オブジェクト４０６、数量オブジェクト４０７、及びデータシートタグ４０８を表示した状態を示す。
【００７３】
ステップＳ６では、入力部５００からデータの入力・編集指示が入力されたか否かを判断し、入力された場合は図６のステップＳ２１へ移行する。なお、データの入力・編集指示は、マウス５１０を用いてデータ入力・編集ボタン４０２をクリックする操作などによって入力する。
【００７４】
次に、データの入力・編集処理を図６のフローチャートを参照しながら説明する。
【００７５】
まず、データ入力・編集ボタン４０２がクリックされると、ステップＳ２１において、新規にデータシートを作成するか、既に作成されているデータシートを編集するかを、ダイアログボックス（対話ウィンドウ）を表示してユーザに問い合わせ、新規に作成する場合はステップＳ２２へ移行し、既存のデータシートを編集する場合はステップＳ２８へ移行する。
【００７６】
ステップＳ２２では、ユーザがキーボード５２０などを用いて、新規データシートの名称を入力する。例えば図４（ｂ）に示す状態から、自転車のハンドルに関する特許の表データを新規作成したい場合、「ハンドル」と入力する。
【００７７】
ステップＳ２３では、新規データシート（データが末入力の無地の表）を作成して表示部４００に表示する。図７に、新規のデータシート４１０を表示部４００に表示した状態を示す。この図７の表示画面には、戻るボタン４０９、終了ボタン４０４等のコマンドボタンも同時に表示される。
【００７８】
以上のステップＳ２２〜ステップＳ２３の処理は、表データ入力・編集プログラム３１２及びデータシート表示プログラム３２４に基づいて実行される。
【００７９】
ステップＳ２４では、データの件数を示す変数ｎに０を代入する。なお、変数データはデータメモリ２００内のその他データ記憶領域２４０に記憶される。
【００８０】
ステップＳ２５では、変数ｎの値に応じた態様の図形オブジェクト、例えば変数ｎの値に比例するサイズの黒丸印の図形を生成する。さらに、変数ｎの値を数値で表した数量オブジェクトも生成する。
【００８１】
なお、数量オブジェクトは、一般にテキストボックスと呼ばれる図形オブジェクトの一種であり、プロパティとしてテキストデータを記憶できる。このテキストデータプロパティに、前記した数値ｎの値を記憶する。
【００８２】
生成した図形オブジェクト及び数量オブジェクトは、グループ化設定するなど互いに対応付けておくと、配置位置を移動させるときなどに便利である。複数の図形オブジェクト同士をグループ化させる技術は公知であるので、その詳細説明は省略する。
【００８３】
ステップＳ２６では、ステップＳ２５において生成した図形オブジェクトのリンク先位置プロパティを、ステップＳ２３で生成したデータシート４１０上の所定の位置、例えば先頭行・先頭桁位置となるように設定する。図７の例では、Ａ列２行目のセルを設定している。
【００８４】
なお、データシート４１０は、図７に示すように、複数のデータ入力可能な欄（これを「セル」と呼ぶ）から構成されており、列方向にはＡ，Ｂ，Ｃ・・が、行方向には１，２，３・・の符号が割り振られている。
【００８５】
ステップＳ２７では、上記図形オブジェクトの配置位置プロパティを、ステップＳ２で表示した新規のマップシート４０１、あるいはステップＳ５で表示した既存のマップシート４０１上の所定位置（例えば左上座標）に設定し、さらに、数量オブジェクトの配置位置プロパティを図形オブジェクトの配置位置の近傍に設定してステップＳ３１へ移行する。
【００８６】
なお、ステップＳ２４〜ステップＳ２７において生成・設定した、図形オブジェクト及び数量オブジェクトに関するデータ、すなわち図形オブジェクト・数量オブジェクトのＩＤ、形、色、サイズ、配置位置、リンク先位置、テキストデータなどのプロパティデータは、図形オブジェクトデータ記憶領域２２０に記憶される。
【００８７】
以上のステップＳ２４〜ステップＳ２７の処理は、図形オブジェクト生成プログラム３１３に基づいて実行される。
【００８８】
一方、ステップＳ２１において新規のデータシートを作成しない場合、すなわち既存のデータシートを編集すると指示された場合、ステップＳ２８において既存のどのデータシートを編集するかユーザに選択させる。選択操作は、データシートタグ４０８をマウス５１０でクリックする等で行う。なお、既存のデータシートとは、以前にステップＳ２２〜ステップＳ２７の処理によって既に作成されているデータシートのことである。
【００８９】
ステップＳ２９では、選択（指定）されたデータシート４１０を表示部４００に表示する。
【００９０】
以上のステップＳ２８〜ステップＳ２９の処理は、データシート表示プログラム３２４に基づいて実行される。
【００９１】
ステップＳ３０では、ユーザがキーボード５２０等を用いてデータの追加入力・削除・修正などの編集作業を行う。
【００９２】
ステップＳ３１では、ユーザによるデータの編集が終了したか否かを、終了ボタン４０４がクリックされたか否か、あるいは戻るボタン４０９やマップシートタグ４１２がクリックされたか否かによって判断し、終了していればステップ３２へ移行し、そうでなければステップＳ３０へ移行して編集作業を継続する。
【００９３】
以上のステップＳ３０〜ステップＳ３１の処理は、表データ入力・編集プログラム３１２に基づいて実行される。
【００９４】
ステップＳ３２では、データシート４１０上に入力された表データ４１１のデータ量、例えばデータ件数、すなわち表の行数を変数ｎに代入する。表データ４１１からデータ件数を取得するには、例えば、ステップＳ２６で設定したリンク先位置（セル）から下方向に、セルごとにデータが入力されているか否かを順次判定し、最初にデータの入力されていないセルが現れるまでの行数をカウントするとよい。
【００９５】
なお、ステップＳ３２において、例えば各データに重要度データを入力しておき、その重要度に応じてデータ量を演算したり、出願日などの年代を考慮してデータ量を演算するようにしてもよい。
【００９６】
ステップＳ３３では、変数ｎの値に応じてステップＳ２５で生成された図形オブジェクト及び数量オブジェクトのプロパティデータを修正する。
【００９７】
以上のステップＳ３２〜ステップＳ３３の処理は、図形オブジェクト修正プログラム３１４に基づいて実行される。
【００９８】
ステップＳ３４では、背景画像表示プログラム３２１及び図形オブジェクト表示プログラム３２２に基づいて、表示部４００にマップシート４０１を表示し、図３のステップＳ６へと戻る。このとき、背景画像データ記憶領域２３０及び図形オブジェクトのプロパティデータに基づいて、マップシート４０１上に背景画像及び図形オブジェクトを重畳して表示する。
【００９９】
図５（ａ）に、ステップＳ２５〜ステップＳ２７で生成・設定された図形オブジェクト４０６及び数量オブジェクト４０７をマップシート４０１上に重畳して表示した状態を示す。
【０１００】
図３のステップＳ６に戻り、このステップＳ６において、入力部５００からデータの入力・編集指示が入力されていないと判断した場合、ステップＳ７へ移行する。
【０１０１】
ステップＳ７では、入力部５００から図形オブジェクトの移動指示が入力されたか否かを判断し、入力された場合はステップＳ８へ移行する。図形オブジェクトの移動指示は、ユーザが、例えばマウス５１０を用いて所望の図形オブジェクトあるいは対応する数量オブジェクトをドラッグ＆ドロップ操作することによって行う。
【０１０２】
ステップＳ８では、前記ドラッグ＆ドロップ操作された図形オブジェクトの配置位置プロパティの値を、ドロップされた座標位置に修正する。また、対応する数量オブジェクトの配置位置プロパティの値も同様の値に修正し、ステップＳ６へ戻る。なお、ドロップ操作は、マップシート４０１上の任意の位置で可能であり、例えばステップＳ３またはステップＳ５で表示した背景画像上の重なる位置であってもよい。
【０１０３】
ステップＳ８の移動処理により、図５（ａ）において、左上に配置されていた図形オブジェクト４０６及び数量オブジェクト４０７は、ユーザのドラッグ＆ドロップ操作により、例えば図５（ｂ）に示すように右方向へ移動させ、自転車のハンドル画像の近傍に配置させることができる。これにより、図形オブジェクト４０６はハンドルに関するデータにリンクされている図形オブジェクトであることを容易に理解することができる。
【０１０４】
なお、図５（ｂ）における引出線４１３は、さらに理解しやすいようにユーザが任意に作成した線図形オブジェクトである。
【０１０５】
以上のステップＳ７〜ステップＳ８の処理は、図形オブジェクト移動プログラム３１５に基づいて実行される。
【０１０６】
一方、ステップＳ７において図形オブジェクトの移動指示が入力されていないと判断した場合、ステップＳ９へ移行する。
【０１０７】
ステップＳ９では、入力部５００からリンク先表示指示が入力されたか否かを判断し、入力された場合はステップＳ１０へ移行する。リンク先表示指示は、ユーザが、例えばマウス５１０を用いて所望の図形オブジェクトをクリック操作することによって行う。
【０１０８】
ステップＳ１０では、クリック操作された図形オブジェクトのリンク先位置プロパティを参照し、リンク先に指定されているセルが含まれるデータシートを、そのセルが表示画面の上端に位置するように、表示部４００に表示して図６のステップＳ３１へ移行する。
【０１０９】
以上のステップＳ９〜ステップＳ１０の処理は、リンク指示対応プログラム３２３及びデータシート表示プログラム３２４に基づいて実行される。
【０１１０】
一方、ステップＳ９においてリンク先表示指示が入力されていないと判断した場合、ステップＳ１１へ移行する。
【０１１１】
ステップＳ１１では、入力部５００から図形オブジェクト作成指示が入力されたか否かを判断し、入力された場合は図８のステップＳ４１へ移行する。図形オブジェクト作成指示は、ユーザが、例えばマウス５１０を用いて図形オブジェクト作成ボタン４０３をクリック操作することによって行う。
【０１１２】
図８は、既存のデータシートの所望の位置にリンクを設定した図形オブジェクトを作成する処理を示すフローチャートである。
【０１１３】
ここで、既存のデータシートとは、前記したステップＳ２２〜ステップＳ２７の処理によって、予め作成されたデータシートあるいは従来の技術で作成されたデータシートすなわち従来の一般的に表計算ソフト、あるいはスプレッドシートソフト等と呼ばれているソフトウェアで作成されたシートのことである。
【０１１４】
本実施形態のデータマップ作成支援装置は、そのような一般的な表計算ソフトによって予め作成されたシートを取り込んで、データシートとして取り扱うことができる。
【０１１５】
取り込まれたデータシートは、例えば図５（ｂ）に示すように、表示部４００の下部に「タイヤ」タグ、「ペダル」タグが表示され、それらタグをマウス５１０でクリックすることにより表示させることができる。なお、一般的な表計算ソフトによって作成されたシートを取り込む技術、及びタグをクリックすることによって対応するシートを表示させる技術は公知であるので、その詳細な説明は省略する。
【０１１６】
次に図８の各ステップを詳細に説明する。
【０１１７】
ステップＳ４１では、ダイアログボックスを表示部４００に表示し、ユーザに対して、▲１▼「複数のデータシートに対して一括してリンクを設定した図形オブジェクトを作成する」か、▲２▼「指定のデータシートの指定の位置に対してリンクを設定した図形オブジェクトを作成する」かを選択させる。
【０１１８】
上記▲２▼の「指定のデータシートの指定の位置に対してリンクを設定した図形オブジェクトを作成する」が選択された場合、ステップＳ４２において、ユーザに対してリンク先位置を指定させる。リンク先位置の指定は、マウス５１０で所望のデータシート内のセルをクリックする操作などによって入力する。
【０１１９】
ステップＳ４３では、ステップＳ３２と同様に、指定されたリンク先位置の表データのデータ件数を取得して、変数ｎに代入する。
【０１２０】
ステップＳ４４では、ステップＳ２５と同様に、変数ｎの値に応じた図形オブジェクト及び数量オブジェクトを生成する。
【０１２１】
ステップＳ４５では、ステップＳ４４で生成した図形オブジェクトのリンク先位置プロパティを、ステップＳ４２で指定されたセルを示す値に設定する。
【０１２２】
ステップＳ４６では、図形オブジェクトの配置位置プロパティを、ステップＳ２７と同様に設定する。
【０１２３】
ステップＳ４７では、ステップＳ３４と同様に、表示部４００にマップシート４０１を表示し、図３のステップＳ６へ戻る。
【０１２４】
以上のように、ステップＳ４２〜ステップＳ４７の処理により、指定のデータシートの指定の位置に対してリンクを設定した図形オブジェクトを作成することが可能となる。
【０１２５】
一方、ステップＳ４１において、▲１▼の「複数のデータシートに対して一括してリンクを設定した図形オブジェクトを作成する」が選択された場合、ステップＳ４８において、まずカウンタ用の変数Ｄに１を代入する。
【０１２６】
ステップＳ４９では、変数Ｄの値で指示されるデータシート（以下、「データシート（Ｄ）」と称する）に対して、リンクが設定されている図形オブジェクトが既に存在しているか否かを、図形オブジェクトデータ記憶領域２２０を参照して判別し、存在していればステップＳ５５へ移行し、存在していなければステップＳ５０へ移行する。
【０１２７】
ステップＳ５０では、データシート（Ｄ）の表データのデータ件数を取得して、変数ｎに代入する。
【０１２８】
ステップＳ５１では、ステップＳ２５と同様に、変数ｎの値に応じた図形オブジェクト及び数量オブジェクトを生成する。
【０１２９】
なお、ステップＳ２５あるいはステップＳ５１において、図形オブジェクトを下記式（１）で求められる値のサイズで生成できるようにしてもよい。ただし、式（１）において、Ｓは生成する図形オブジェクトのサイズ、Ｓｍａｘは予め定められた、図形オブジェクトの最大サイズ、ｎは変数ｎの値、ｎｍａｘは複数の表データのうち、最もデータ量の多い表データのデータ量である。
【０１３０】
Ｓ＝Ｓｍａｘ×ｎ／ｎｍａｘ    ・・・・式（１）
ステップＳ５２では、ステップＳ２６と同様に、ステップＳ５１で生成した図形オブジェクトのリンク先位置プロパティを、データシート（Ｄ）上の所定の位置、例えば先頭行・先頭桁位置となるように設定する。
【０１３１】
ステップＳ５３では、図形オブジェクトをマップシート４０１上のどの位置に配置するか求める。図形オブジェクトを配置する位置は、変数Ｄの値に基づいた簡単な計算（例えば、変数Ｄの値に所定の係数を乗算する等）によって求めることができる。
【０１３２】
ステップＳ５４では、ステップＳ５３で求められた値を、ステップＳ２７と同様に、上記図形オブジェクトの配置位置プロパティに設定する。
【０１３３】
ステップＳ５５では、変数Ｄに１を加算し、ステップＳ５６では、データシート（Ｄ）が存在するか否か、すなわち全データシートに対する処理が終了したか否かを判断し、終了していなければステップＳ４９へ戻って、ステップＳ５０〜ステップＳ５５の処理を繰り返し、終了していれば図３のステップＳ６へ戻る。
【０１３４】
以上のように、ステップＳ４８〜ステップＳ５６の処理により、複数のデータシートに対して一括してリンクを設定した図形オブジェクトを作成することが可能となる。
【０１３５】
なお、以上の実施形態では、データの件数に応じたサイズの図形オブジェクトを生成するようにしているが、本発明はこれに限られるものではなく、例えば、図形オブジェクトのサイズをデータの値の大小に応じて変化させるようにしてもよいし、図形オブジェクトの色や数量などをデータの件数に応じて変化させるようにしてもよい。
【０１３６】
【発明の効果】
以上詳細に説明したように、本発明によれば、データへのリンクを設定したリンクオブジェクトを所定の位置に配置することができるので、操作性が良く活用しやすいデータマップを容易に作成することができる。また、リンクオブジェクトを、任意の画像上の所定の位置に配置することが可能であるので、見やすくて内容を理解しやすいデータマップを作成することができる。さらに、リンクオブジェクトを、データのデータ量に応じた態様で表示することができるので、見やすくて内容を理解しやすいデータマップを作成することができる。
【０１３７】
本発明によれば、複数の表データの各々へのリンクを設定したリンクオブジェクトを一括して生成し、それらを各々の配置位置に一括して配置することができるので、前記したような操作性が良くて内容が理解しやすいデータマップを容易に作成することができる。
【０１３８】
本発明によれば、複数の表データのうち、最もデータ量の多い表データのデータ量、及び各々の表データのデータ量に応じた態様のリンクオブジェクトを各々生成することが可能であり、これにより適切な態様のリンクオブジェクトを生成することができる結果、見やすくて内容を理解しやすいデータマップを作成することができる。さらに、リンクオブジェクトとグループ化した数量オブジェクトにより、データのデータ量を数値にて表示することができるので、見やすくて内容を理解しやすいデータマップを作成することができる。
【図面の簡単な説明】
【図１】本発明のデータマップ作成支援装置の実施形態の構成を示すシステムブロック図である。
【図２】図１のデータマップ作成支援装置にて作成したデータマップの一例を示す図である。
【図３】図１のデータマップ作成支援装置の動作手順を示すフローチャートである。
【図４】図１のデータマップ作成支援装置にて作成したマップシートの途中の様子を示す図である。
【図５】図１のデータマップ作成支援装置にて作成したマップシートの一例を示す図である。
【図６】図１のデータマップ作成支援装置のデータ入力・編集処理手順を示すフローチャートである。
【図７】図１のデータマップ作成支援装置に表示される新規のデータシートを示す図である。
【図８】図１のデータマップ作成支援装置において既存のデータシートヘのリンクを設定した図形オブジェクトを作成する際の処理手順を示すフローチャートである。
【図９】従来のデータマップの一例を示す図である。
【図１０】従来のデータマップの他の例を示す図である。
【図１１】従来のデータマップの別の例を示す図である。
【符号の説明】
１００  ＣＰＵ（中央制御装置）
２００  データメモリ
２１０  表データ記憶領域
２２０  図形オブジェクトデータ記憶領域
２３０  背景画像データ記憶領域
３００  プログラムメモリ
３１０  データマップ作成支援プログラム
３２０  データマップ表示プログラム
４００  表示部
４０１  マップシート
４０６  図形オブジェクト
４０７  数量オブジェクト
４１０  データシート
４１１  表データ
５００  入力部
６００  外部記憶部
【図１】
0004698085.tif 000002
【図２】
0004698085.tif 000003
【図３】
0004698085.tif 000004
【図４】
0004698085.tif 000005
【図５】
0004698085.tif 000006
【図６】
0004698085.tif 000007
【図７】
0004698085.tif 000008
【図８】
0004698085.tif 000009
【図９】
0004698085.tif 000010
【図１０】
0004698085.tif 000011
【図１１】
0004698085.tif 000012